(57)【特許請求の範囲】
【請求項１】
手動操作ハンドルを往復動させることにより回路遮断器の開閉接触子を開閉する操作トッテを操作する回路遮断器の手動操作ハンドル装置において、
前記操作トッテの近傍に固着された第１フレームと、
該第１フレームに軸支され回転することにより前記操作トッテを操作する主軸と、
一方端が前記第１フレームに枢支され、他方端に枢支された前記手動操作ハンドルを往復動させると、所定の回転角度内を往復回動する第１リンクと、
前記第１リンクに配設された支持穴に枢支され前記第１リンクの往復回動に伴い往復動する第２リンクと、
前記第２リンクに枢支され前記第２リンク往復動に伴い往復回動するハンドルベースとを備え、
前記ハンドルベースの往復回動に伴い前記主軸が一方向に回転し前記操作トッテを操作することを特徴とする回路遮断器の手動操作ハンドル装置。
【請求項２】
第１リンクに複数の支持穴を設け、操作トッテの操作荷重に応じて前記支持穴のいずれかで第２リンクが枢支されることを特徴とする請求項１記載の回路遮断器の手動操作ハンドル装置。
【請求項３】
手動操作ハンドルを所定の位置迄移動させると前記手動操作ハンドルが第１リンクと一体になって回動するように前記手動操作ハンドルの前記第１リンクの端面部に当接する位置に段差部を設けたことを特徴とする請求項１又は請求項２記載の回路遮断器。
【発明の詳細な説明】
【０００１】
【発明の属する技術分野】
この発明は、例えば回路遮断器の電気操作装置に具備される手動操作ハンドル装置に関するものである。
【０００２】
【従来の技術】
図９は、例えば実公平７−２３８５３号公報に示された従来の回路遮断器の電気操作装置に装着された手動操作ハンドル装置の縦側面図である。
図において、１は回路遮断器、２は電気操作装置、３は手動操作ハンドル装置で、手動操作ハンドル装置３は手動操作ハンドル４、一方端が手動操作ハンドル４の一端に枢支され、他方端が後述の手動操作レバ−に枢支されたリンク５、主軸６に固着された手動操作レバ−７、手動操作レバ−７の一端に配設され、後述のラチェットギヤの歯部に先端８ａが噛合した手動つめ８、主軸６に固着され、主軸６と一体的に回動するラチェットギヤ９により、形成されている。
【０００３】
次に上記の様に形成された従来の手動操作ハンドル装置３の動作について説明する。
手動操作ハンドル４を支軸４ａを支点としてＡ方向に往復運動させると、リンク５がＢ方向に往復運動を行い、手動操作レバ−７が主軸６の中心６ａを支点として、所定の角度内を往復運動（Ｃに示す）することにより、手動つめ８の先端８ａがラチェットギヤ９の歯部９ａを押し、ラチェットギヤ９を矢印Ｄ方向に回転させ、回路遮断器１の操作トッテ（図示しない）の手動操作を行う。
【０００４】
【発明が解決しようとする課題】
従来の手動操作ハンドル装置３は、以上のように形成されており、回路遮断器１の手動操作は、支軸４ａを支点として手動操作ハンドル４を往復運動操作させ、てこの原理によりラチェットギヤ９を回転させる方式によるものであるため、手動操作ハンドル４の操作荷重が大きい。そこで、操作荷重を低減させるために、手動操作ハンドル４の長さを長くする方法が採られるが、あまり長くすると手動操作ハンドル装置３を電気操作装置２に収納できないという問題点があった。また、操作荷重が異なる複数の回路遮断器１に対しては回路遮断器１の操作荷重に適合する手動操作ハンドル３を用意しなければならないという問題があった。
【０００５】
この発明は、かかる問題点を解決するためになされたものであり、手動操作ハンドル装置を小形化し電気操作装置への収納を容易にすると共に、操作荷重が異なる小型の回路遮断器から大型の回路遮断器に１種類で対応できる手動操作ハンドル装置を提供することを目的としている。
【０００６】
【課題を解決するための手段】
（１）この発明に係る回路遮断器の手動操作ハンドル装置は、手動操作ハンドルを往復動させることにより回路遮断器の開閉接触子を開閉する操作トッテを操作する回路遮断器の手動操作ハンドル装置において、前記操作トッテの近傍に固着された第１フレームと、該第１フレームに軸支され、回転することにより前記操作トッテを操作する主軸と、一方端が前記第１フレームに枢支され、他方端に枢支された前記手動操作ハンドルを往復動させると、所定の回転角度内を往復回動する第１リンクと、前記第１リンクに配設された支持穴に枢支され前記第１リンクの往復回動に伴い往復動する第２リンクと、前記第２リンクに枢支され前記第２リンク往復動に伴い往復回動するハンドルベースとを備え、前記ハンドルベースの往復回動に伴い前記主軸が一方向に回転し前記操作トッテを操作するものである。
【０００７】
（２）また、（１）において、第１リンクに複数の支持穴を設け、操作トッテの操作荷重に応じて前記支持穴のいずれかで第２リンクが枢支されるものである。
【０００８】
（３）また、（１）又は（２）において、手動操作ハンドルを所定の位置迄移動させると前記手動操作ハンドルが第１リンクと一体になって回動するように前記手動操作ハンドルの前記第１リンクの端面部に当接する位置に段差部を設けたものである。
【０００９】
【発明の実施の形態】
実施の形態１．
図１はこの発明の実施形態１による回路遮断器に装着された電気操作装置の斜視図、図２は図１の電気操作装置の内部透視図である。図において、１は回路遮断器、１００は電気操作装置、１０１は電気操作装置１００の筐体で、筐体１０１の内部には回路遮断器１を電動で操作させるために配設された電動機６０、伝達ギヤ部７０及び機構部８０と、回路遮断器１を手動で操作させるために配設された手動操作ハンドル装置３０が内蔵され、外装面には手動操作ハンドル装置３０を操作する手動操作ハンドル３２及び電動機６０を操作する操作スイッチ１０２が配設され、電気操作装置１００は取付ネジ１０３，１０４により回路遮断器１に取付けられている。
【００１０】
回路遮断器１の開閉接触子（図示しない）を閉状態から開状態へ、又は開状態から閉状態への切換を電動操作で行なう場合は、操作スイッチ１０２を入切することにより、電動機６０が動作し、電動機６０で発生した駆動力を伝達ギヤ７０により、機構部８０へ伝達し、機構部８０で回路遮断器１の操作トッテ（図示しない）を操作させる。
【００１１】
回路遮断器１を手動で操作する場合は、手動操作ハンドル装置３０を操作する手動操作ハンドル３２を動作させて行なうが、以下にIII−III断面から見た手動操作ハンドル装置３０をの動作について説明する。
図３は図２のIII−III断面における手動操作ハンドル装置の動作前の状態図。
図４は図２のIII−III断面における手動操作ハンドル装置の動作時の状態図である。
【００１２】
図において、３１は第１フレームで取付ネジ１０３，１０４により回路遮断器１に装着されたベース１０５に締付ネジ１０６，１０７により締付け固定されている。３３は一方端が支軸３４により手動操作ハンドル３２に回動自在に枢支され、他方端が第１フレ−ム３１に固着された支軸３５により回動自在に枢支された第１リンク、３６は第２リンクで一方端が第１リンク３３に配設された支持穴３３ａに緩挿された支軸３７により回動自在に枢支され、他方端が支軸３８により、ハンドルベ−ス３９に回動自在に枢支されている。
【００１３】
４０はひねりバネで円形部が支軸３４に嵌挿され、一方の腕部が手動操作ハンドル３２の段差部３２ａに、他方の腕部が第１リンク３３の側面部３３ｂに係合し、手動操作ハンドル３２を矢印Ｅ方向に付勢している。４１は第１フレ−ム３１に回動自在に軸支された主軸、４２は主軸４１に固着されると共に外周に歯部４２ａ及び、歯無し部４２ｂが配設されたラチェットギヤ、４３は一方端が第１フレ−ム３１に凸設された凸部３１ａに係合し、他方端がハンドルベ−ス３９に凸設された切曲げ部３９ａに係合されハンドルベ−ス３９を時計方向に引き戻すために配設された引きバネである。
【００１４】
４４はハンドルベ−ス３９の一端に固着された保持軸３９ｂに回動自在に緩挿され、ひねりバネ４５により矢印Ｆ方向に押圧されることにより、ラチェットギヤ４２の歯部４２ａにツメ先４４ａが係合する手動ツメである。なお、ハンドルベ−ス３９は主軸４１の主軸中心４１ａを支点として回動可能なように主軸４１に緩挿されている。
【００１５】
次に、図３及び図４を用いて手動操作ハンドル装置３０の動作について説明する。
（１）最初にひねりバネ４０により矢印Ｅ方向に付勢された手動操作ハンドル３２を図３の一点鎖線位置まで引き起こす。
（２）手動操作ハンドル３２を引きバネ４３の引き伸ばし荷重に抗して、矢印Ｇ方向に移動させると、手動操作ハンドル３２の段差部３２ａと第１リンク３３の端面部３３ｃが当接し、手動操作ハンドル３２と第１リンク３３は一体になって支軸３５を支点に回動する。
【００１６】
（３）第２リンク３６が矢印Ｈ方向に移動し、ハンドルベ−ス３９が主軸４１を支点として矢印Ｉ方向に回動する。
（４）ハンドルベ−ス３９の一端に固着された手動ツメ４４のツメ先４４ａがラチェットギヤ４２の歯部４２ａを押圧し、ラチェットギヤ４２も同様に矢印Ｉ方向に回動する。
（５）ラチェットギヤ４２に固着された主軸４１が矢印Ｉ方向に回動する。
【００１７】
（６）次に、手動操作ハンドル３２を上述した矢印Ｇ方向と逆方向である矢印Ｊ方向に引きバネ４３の引き戻し作用に併せて戻すと、第２リンク３６が矢印Ｋ方向に移動し、ハンドルベ−ス３９が矢印Ｌ方向に回動する。
（７）手動ツメ４４のツメ先４４ａはラチェットギヤ４２の歯部４２ａと係合することなく、手動ツメ４４は歯部４２ａの表面をすべりながらハンドルベ−ス３９と一体的に矢印Ｌ方向に回転する。なお、この動作工程においてはラチェットギヤ４２は図示しないカムにより矢印Ｌ方向には戻らない構成にされている。
【００１８】
（８）引き続き、手動操作ハンドル３２を往復動させると、（２）から（７）の工程により、主軸４１は矢印Ｉ方向に回転する。
（９）ラチェットギヤ４２が矢印Ｉ方向にほぼ１回転し、手動ツメ４４のツメ先４４ａが歯無部４２ｂの位置に達すると、手動操作ハンドル３２を往復動作しても、手動ツメ４４のツメ先４４ａとラチェットギヤ４２が係合しなくなる（図４）ため、ラチェットギヤ４２及びラチェットギヤ４２に固着された主軸４１は回転しなくなり、手動操作が完了する。
【００１９】
次に、以上の（１）から（９）の動作と同時に進行するV−V断面から見た手動操作ハンドル装置３０の動作について説明する。図５は図２のV−V断面における手動操作ハンドル装置の動作前の状態図、図６は図２のV−V断面における手動操作ハンドル装置が動作した後の状態図である。
【００２０】
図において、４６は主軸４１に固着されたカム、４７は締付ネジ１０８，１０９によりベース１０５に固着された第２フレ−ム、４８は第２フレ−ム４７に固着された支軸４９により回動自在に枢支されたア−ム、４８ａはア−ム４８が回動する時に主軸４１に接触しないようにア−ム４８に配設された逃穴である。
【００２１】
５０はア−ム４８に固着された支軸５１に回動自在に緩挿され、カム４６の外周面に当接したロ−ラ−、５２はア−ム４８の一端に固着された支軸５３により回動自在に枢支されたハンドル受で、ハンドル受５２に固着されたスライド軸受５４は第２フレ−ム４７に配設されたスライド溝４７ａ内を摺動可能に形成されており、支軸５３とスライド軸受５４により挟持された回路遮断器１の操作トッテ１ａはア−ム４８の回動に伴い、一体的に移動する。
【００２２】
５５は蓄勢バネで、一方端がア−ム４８に配設された保持部材４８ｂに、他方端が第２のフレ−ム４７に配設された保持部材４７ｂにより保持され、ア−ム４８の回動に伴い伸縮を行なう。５６はア−ム４８の回動を規制するストッパ−、１ｂは回路遮断器１に収納され、操作トッテ１ａを操作することにより開閉動作を行なう開閉接触子である。
【００２３】
以下、図５及び図６を用いて、動作を説明する。
（１０）上述の（２）から（９）の動作工程により、手動操作ハンドル３２を往復動させることにより、主軸４１が矢印Ｍ方向に回転すると、主軸４１に固着されたカム４６も矢印Ｍ方向に回転する。
（１１）カム４６の回転に伴い、カム４６に当接したロ−ラ−５０がカム４６の外周面で押動され、ロ−ラ−５０が固着されたア−ム４８が支軸４９を支点に矢印Ｎ方向に回動する。
【００２４】
（１２）ア−ム４８の回動によりハンドル受５２に配設されたスライド軸受５４は第２のフレ−ム４７に配設されたスライド溝４７ａ内を矢印Ｐ方向に摺動する。
（１３）支軸５３とスライド軸受５４により挟持された操作トッテ１ａも矢印Ｐ方向に移動し、回路遮断器１の内部機構（図示しない）により、開閉接触子１ｂが開状態になると同時に、蓄勢バネ５５が圧縮される。この結果、アーム４８には支軸４９を支点として矢印Ｑ方向の力を蓄勢した状態で保持される。（図６）
【００２５】
（１４）その後、回路遮断器１の開閉接触子１ｂを閉状態にする必要が生じた場合は、図示しない操作ボタンを操作すると、蓄勢バネ５５が蓄勢した力により支軸４９を支点として、アーム４８を矢印Ｑ方向に回動し、ハンドル受５２、スライド軸受５４及び操作トッテ１ａが矢印Ｒ方向に移動する。
（１５）操作トッテ１ａが矢印Ｒ方向に移動すると、回路遮断器１の内部機構（図示しない）により、開閉接触子１ｂは閉状態になる。
（１６）ア−ム４８はストッパ−５５に当接し、手動操作ハンドル装置３０は動作前の状態（図５）に復帰する。
【００２６】
以上のように、本発明の実施の形態１の手動操作ハンドル装置３０は手動操作ハンドル３２、第１リンク３３、第２リンク３６及び、ハンドルベ−ス３９による４節リンク機構で形成させたので、小形で操作荷重を小さくすることができる。
【００２７】
なお、上記の説明では電気操作装置１００の内部に電動操作を行なわせるための電動機６０、伝達ギヤ部７０及び機構部８０を収納させると共に、手動操作ハンドル装置３０を並列して配設し、回路遮断器１を操作させる場合について説明したが、手動操作ハンドル装置３０だけで回路遮断器１を操作させる構成にしても良い。
【００２８】
実施の形態２．
図７はこの発明の実施形態２による手動操作ハンドル装置の動作前の状態図である。図において、３００は手動操作ハンドル装置、３３０は第１リンク、３３０ａは第１リンク３３０に配設された複数の支持穴であり、それ以外の構成は実施形態１と同様であり、説明を省略する。
【００２９】
この様に形成された手動操作ハンドル装置３００は、第１リンク３３０と第２リンク３６を枢支する支軸３７の位置を操作荷重に応じた支持穴３３０ａの位置にすることにより、適切な操作荷重で手動操作ハンドル３２を操作させることができる。たとえば、操作トッテ１ａの操作荷重が大きい回路遮断器の場合は、第２リンク３６を支軸３５と支軸３７間の寸法Ｘが小さい位置で枢支するようにすれば、小さい力で手動操作ハンドル３２を操作することができる。
【００３０】
以上のように、本発明の実施の形態２の手動操作ハンドル装置３００は、第１リンク３３０と第２リンク３６が枢支する位置を選択できる様にしたので、１種類の手動操作ハンドル装置で操作荷重が異なる小型の回路遮断器から大型の回路遮断器に適用させることができる。
【００３１】
実施の形態３．
図８はこの発明の実施形態３による手動操作ハンドル装置の動作前の状態図である。図において、３０１は手動操作ハンドル装置、３６ａは例えば、プラスチック成形品又は金属棒を折り曲げることにより形成させた第２リンクであり、第１リンク３３０及びハンドルベースに第２リンク３６ａが支軸を介さずに直接、枢支されている。それ以外の構成は実施形態２と同様であり、説明を省略する。
【００３２】
この様に形成された手動操作ハンドル装置３０１は、第２リンク３６ａが支軸を用いないで第１リンク３３０及びハンドルベースに直接、枢支されているので、コストが安く、組み立て性を良くすることができる。
【００３３】
【発明の効果】
（１）以上のように、請求項１の発明によれば、小形で操作荷重を小さくすることができる。
【００３４】
（２）請求項２の発明によれば、１種類の手動操作ハンドル装置で操作荷重が異なる小型の回路遮断器から大型の回路遮断器に適用させることができる。
【００３５】
（３）請求項３の発明によれば、手動操作ハンドルを往復動させた時、第１リンクが確実に所定の回転角度内を往復回動する。
【図面の簡単な説明】
【図１】  この発明の実施形態１による回路遮断器に装着された電気操作装置の斜視図。
【図２】  図１の電気操作装置の内部透視図。
【図３】  図２のIII−III断面における手動操作ハンドル装置の動作前の状態図。
【図４】  図２のIII−III断面における手動操作ハンドル装置の動作時の状態図。
【図５】  図２のV−V断面における手動操作ハンドル装置の動作前の状態図。
【図６】  図２のV−V断面における手動操作ハンドル装置が動作した後の状態図。
【図７】  この発明の実施形態２による手動操作ハンドル装置の動作前の状態図。
【図８】  この発明の実施形態３による手動操作ハンドル装置の動作前の状態図。
【図９】  従来の回路遮断器の電気操作装置に装着された手動操作ハンドル装置の縦側面図。
【符号の説明】
１  回路遮断器、        １ａ  操作トッテ、        １ｂ  開閉接触子、
３０，３００，３０１  手動操作ハンドル装置、      ３１  第１フレ−ム、
３１ａ  凸部、        ３２  手動操作ハンドル、  ３２ａ  段差部、
３３，３３０  第１リンク、  ３３ａ，３３０ａ  支持穴、３３ｂ  側面部、
３３ｃ  端面部、      ３４,３５,３７,３８，４９，５１，５３  支軸、
３６，３６ａ  第２リンク、  ３９  ハンドルベ−ス、  ３９ａ  切り曲げ部、
３９ｂ  保持軸、          ４０,４５  ひねりバネ、    ４１  主軸、
４２  ラチェットギヤ、    ４２ａ  歯部、            ４２ｂ  歯無部、
４３  引きバネ、          ４４  手動つめ、          ４４ａ  つめ先、
４６  カム、              ４７  第２フレ−ム、      ４７ａ  スライド溝、
４７ｂ，４８ｂ  保持部材、４８  アーム、            ４８ａ  逃穴、
５０  ロ−ラ、            ５２  ハンドル受、        ５４  スライド軸受、
５５  蓄勢バネ、          ５６  ストッパ−、        ６０  電動機、
７０  伝達ギヤ部、        ８０  機構部、          １００  電気操作装置、
１０１  筐体、      １０２  操作スイッチ、    １０３，１０４  取付ネジ、
１０５  ベース，    １０６，１０７，１０８，１０９  締付ネジ。
【図１】
0004061799.tif 000002
【図２】
0004061799.tif 000003
【図３】
0004061799.tif 000004
【図４】
0004061799.tif 000005
【図５】
0004061799.tif 000006
【図６】
0004061799.tif 000007
【図７】
0004061799.tif 000008
【図８】
0004061799.tif 000009
【図９】
0004061799.tif 000010